(57)【特許請求の範囲】
【請求項１】
荷物を載置可能なデッキボードの四隅を含む複数位置に桁部を設けて下方に突出させることで、前記デッキボードの下方にフォーク挿入空間を形成すると共に、前記デッキボードの四隅の桁部にアングル材で構成された支柱を取り付け、それら支柱の上に他の樹脂パレットを積み上げ可能な樹脂製パレットにおいて、
前記桁部の上端部から下端部に亘って形成されると共に、前記デッキボードの上面角部に沿って開放したＬ字形状の上面開口を有し、前記支柱としての前記アングル材の下端部を挿入して奥部に突き当て可能なアングル材挿入孔と、
前記アングル材挿入孔の内面に突出形成され、前記アングル材の１対の内側面又は１対の外側面の何れかに突き合わされて、前記アングル材の傾きを規制する１対の傾動規制突部と、
前記アングル材挿入孔の奥部のうち前記桁部全体の下面より上方で前記桁部全体の下面と平行に配置されて、前記アングル材の下端面を突き当て可能な第１突き当て壁と、
前記第１突き当て壁の複数箇所に陥没形成された複数の凹部と、
前記桁部全体の下面に配置されて、前記複数の凹部の下端面を閉塞し、他の樹脂製パレットに取り付けた前記支柱の上端面を下方から突き当て可能な第２突き当て壁と、
前記凹部の内側面に配置されて、前記第１と第２の突き当て壁の間を連絡し、前記第１と第２の突き当て壁を補強する段差壁とを備えたことを特徴とする樹脂製パレット。
【請求項２】
前記桁部には、前記アングル材挿入孔より前記デッキボードの中央側に隣接配置されて、上方に開放した支柱隣接部屋が設けられ、前記支柱隣接部屋の奥部は、前記第２突き当て壁と面一のＬ形下端壁によって閉塞されたことを特徴とする請求項１に記載の樹脂製パレット。
【請求項３】
前記１対の傾動規制突部は、前記桁部の外側壁を前記アングル材挿入孔内に膨出させてなることを特徴とする請求項１又は２に記載の樹脂製パレット。
【請求項４】
前記樹脂製パレットの成形金型のうち型開き方向と交差する方向で進退するスライドコアによって前記各傾動規制突部における膨出構造の内面が成形され、
前記各傾動規制突部の先端面には、前記成形金型のうち前記アングル材挿入孔内を成形する挿入孔成形コアと前記スライドコアとを接合させるためのコア接合孔が形成されたことを特徴とする請求項３の何れかに記載の樹脂製パレット。
【請求項５】
前記１対の傾動規制突部は、前記アングル材の１対の外側面に突き合わされるように配置され、
前記アングル材挿入孔の内部に設けられて前記アングル材の１対の内側面に宛われる１対の平板壁と、
前記１対の平板壁に対して前記アングル材と反対側から対向しかつ互いに直交した１対の区画壁と、
前記１対の平板壁において互いに接近した側の側縁部を前記アングル材の内側面から離れる側にそれぞれ直角曲げしてなりかつ互いに直交した１対の直交リブと、
前記１対の直交リブの交差部分と、前記１対の区画壁の交差部分とを連絡した平板状の対角壁とを備えたことを特徴とする請求項１乃至４の何れか１の請求項に記載の樹脂製パレット。
【請求項６】
請求項１乃至５の何れかに記載の樹脂製パレットと、支柱としての４本のアングル材とからなることを特徴とする支柱付き樹脂製パレット。
【発明の詳細な説明】
【技術分野】
【０００１】
本発明は、デッキボードの四隅の桁部に支柱を取り付け、それら支柱の上に他の樹脂パレットを積み上げ可能な樹脂製パレットに関する。
【背景技術】
【０００２】
従来、この種の樹脂製パレット用の支柱は、複数の板材からなるコーナー取付部をアングル材の下端部に設けた構造になっていた。そして、各コーナー取付部を樹脂製パレットの四隅における上面と両側面とに宛い、樹脂製パレットの上面に開放した係止孔に、コーナー取付部に備えた係止突片を係止して、支柱が樹脂製パレットに取り付けられていた（例えば、特許文献１参照）。
【０００３】
また、別の従来の樹脂製パレット用の支柱は、断面円形のパイプ材の下端寄り位置から側方に係止板を張り出した構造になっていた。そして、樹脂製パレットの四隅上面に開放したパイプ挿入孔にパイプ材を挿入して係止板を樹脂製パレットの上面に宛い、樹脂製パレットの上面に開放した係止孔に、係止板に備えた係止突片を係止して支柱が樹脂製パレットに取り付けられていた（例えば、特許文献２参照）。
【特許文献１】特開平１０−２５０７３３号公報（第１５図、第１６図）
【特許文献２】実開昭５７−１５４６３５号公報（第１図、第２図）
【発明の開示】
【発明が解決しようとする課題】
【０００４】
しかしながら、上記した従来の樹脂製パレットでは、コーナー取付部が樹脂製パレットの側方に突出し、他のパレットに引っ掛かって変形したり、他のパレットを破損させる事態が生じ得た。また、上記した別の従来の樹脂製パレットでは、例えば、箱形荷物を載置した際に、支柱を構成するパイプ材との干渉により、樹脂製パレットの角部に接近させて載置することが困難になり、樹脂製パレットの上面における外縁部に、パイプ材の直径と同じ幅のデッドスペースが生じ得た。
【０００５】
本発明は、上記事情に鑑みてなされたもので、支柱を側方に突出させずに取り付けることが可能であると共に、支柱によるデッドスペースを減らすことが可能な樹脂製パレットの提供を目的とする。
【課題を解決するための手段】
【０００６】
上記目的を達成するためになされた請求項１の発明に係る樹脂製パレットは、荷物を載置可能なデッキボードの四隅を含む複数位置に桁部を設けて下方に突出させることで、デッキボードの下方にフォーク挿入空間を形成すると共に、デッキボードの四隅の桁部にアングル材で構成された支柱を取り付け、それら支柱の上に他の樹脂パレットを積み上げ可能な樹脂製パレットにおいて、桁部の上端部から下端部に亘って形成されると共に、デッキボードの上面角部に沿って開放したＬ字形状の上面開口を有し、支柱としてのアングル材の下端部を挿入して奥部に突き当て可能なアングル材挿入孔と、アングル材挿入孔の内面に突出形成され、アングル材の１対の内側面又は１対の外側面の何れかに突き合わされて、アングル材の傾きを規制する１対の傾動規制突部と、アングル材挿入孔の奥部のうち桁部全体の下面より上方で桁部全体の下面と平行に配置されて、アングル材の下端面を突き当て可能な第１突き当て壁と、第１突き当て壁の複数箇所に陥没形成された複数の凹部と、桁部全体の下面に配置されて、複数の凹部の下端面を閉塞し、他の樹脂製パレットに取り付けた支柱の上端面を下方から突き当て可能な第２突き当て壁と、凹部の内側面に配置されて、第１と第２の突き当て壁の間を連絡し、第１と第２の突き当て壁を補強する段差壁とを備えたところに特徴を有する。
【０００８】
請求項２の発明は、請求項１に記載の樹脂製パレットにおいて、桁部には、アングル材挿入孔よりデッキボードの中央側に隣接配置されて、上方に開放した支柱隣接部屋が設けられ、支柱隣接部屋の奥部は、第２突き当て壁と面一のＬ形下端壁によって閉塞されたところに特徴を有する。
請求項３の発明は、請求項１又は２に記載の樹脂製パレットにおいて１対の傾動規制突部は、桁部の外側壁をアングル材挿入孔内に膨出させてなるところに特徴を有する。
【０００９】
請求項４の発明は、請求項３に記載の樹脂製パレットにおいて、樹脂製パレットの成形金型のうち型開き方向と交差する方向で進退するスライドコアによって各傾動規制突部における膨出構造の内面が成形され、各傾動規制突部の先端面には、成形金型のうちアングル材挿入孔内を成形する挿入孔成形コアとスライドコアとを接合させるためのコア接合孔が形成されたところに特徴を有する。
請求項５の発明は、請求項１乃至４の何れか１の請求項に記載の樹脂製パレットにおいて、１対の傾動規制突部は、アングル材の１対の外側面に突き合わされるように配置され、アングル材挿入孔の内部に設けられてアングル材の１対の内側面に宛われる１対の平板壁と、１対の平板壁に対してアングル材と反対側から対向しかつ互いに直交した１対の区画壁と、１対の平板壁において互いに接近した側の側縁部をアングル材の内側面から離れる側にそれぞれ直角曲げしてなりかつ互いに直交した１対の直交リブと、１対の直交リブの交差部分と、１対の区画壁の交差部分とを連絡した平板状の対角壁とを備えたところに特徴を有する。
【００１０】
請求項６の発明に係る支柱付き樹脂製パレットは、請求項１乃至５の何れかに記載の樹脂製パレットと、支柱としての４本のアングル材とからなるところに特徴を有する。
【発明の効果】
【００１１】
［請求項１の発明］
請求項１の樹脂製パレットでは、デッキボードの四隅の桁部に形成されたアングル材挿入孔に、支柱としてのアングル材の下端部を挿入して取り付けられる。ここで、従来の樹脂製パレットにおけるパイプ挿入孔の代わりに、単に断面Ｌ形のアングル材挿入孔を設けて、アングル材挿入孔の内面でアングル材を挟んで傾動を規制する構成にした場合には、樹脂製パレットの成形金型のうちアングル材挿入孔内を成形する挿入孔成形コアが薄肉になるため樹脂圧に耐えきれず、形状が不安定になり得る。これに対し、本発明の樹脂製パレットでは、アングル材挿入孔の内面に１対の傾動規制突部が設けて、それら１対の傾動規制突部にてアングル材の傾きを規制しているので、アングル材挿入孔のうち１対の傾動規制突部を設けた部位以外を広くして、挿入孔成形コアを肉厚にすることができる。これにより、アングル材挿入孔を有した樹脂製パレットを安定した形状に成形することができる。そして、本発明によれば、支柱の下端部をアングル材のみで構成しておいて、アングル材挿入孔に挿入するだけで樹脂製パレットに支柱を取り付けることが可能になるので、従来問題になった樹脂製パレットから側方への支柱の突出部分をなくすことができる。また、アングル材挿入孔の上面開口は、デッキボードの上面角部に沿って開放したＬ字形状になっているので、アングル材の角部とデッキボードの角部とを一致させることができ、従来問題になった支柱によるデッドスペースを減らすことができる。
【００１２】
また、請求項１の構成によれば、アングル材挿入孔の奥部では、アングル材の下端面が突き当てられる第１突き当て壁と、樹脂製パレットを他の樹脂製パレットの支柱の上に載置した際に、それら支柱の上端面が下方から突き当てられる第２突き当て壁とが上下にずらして配置され、それら第１と第２の突き当て壁の間の段差壁によって第１と第２の突き当て壁が補強されているので、アングル材によってアングル材挿入孔が突き破られるような事態を防ぐことができる。
【００１３】
［請求項２，３，５の発明］
請求項２の構成によれば、樹脂製パレットを他の樹脂製パレットの支柱の上に載置した際に、それら支柱の上端部が樹脂製パレットの中央側にずれてもＬ形下端壁で支柱の上端面を受けることができる。また、請求項３及び５の構成によれば、アングル材に対する支持強度を高くすることができる。
【００１４】
［請求項４の発明］
請求項４の構成によれば、傾動規制突部が、桁部の外側壁をアングル材挿入孔内に膨出させてなり、その膨出構造の内面を成形するスライドコアと、アングル材挿入孔内を成形する挿入孔成形コアとが、傾動規制突部の先端面に形成されたコア接合孔を介して接合されるので、スライドコアと挿入孔成形コアとが互いに補強し合い、樹脂圧によって変形することを防ぐことができる。
【００１５】
［請求項６の発明］
請求項６の構成によれば、樹脂製パレットに取り付けられる４本の支柱が、所定長のアングル材で構成されているので、安価に支柱を製造することができると共に、不使用時には支柱同士を重ねて、コンパクトに纏めることができる。
【００１６】
なお、請求項１乃至６の発明において、アングル材は、金属製又は樹脂製の何れであってもよい。
【発明を実施するための最良の形態】
【００１７】
以下、本発明に係る一実施形態を図１〜図１１に基づいて説明する。図１に示した本実施形態の樹脂製パレット１０（以下、単に「パレット１０」という）は、荷物を載置可能なデッキボード１１の四隅を含む複数位置に桁部２１を設けて下方に突出させることで、デッキボード１１の下方にフォーク挿入空間１４を備えた構造になっている。
【００１８】
上記デッキボード１１は、全体が四角形になっており、その外縁部と縦横の中心線とに沿った部位に、比較的強度が高い上面強化梁１２が備えられ、デッキボード１１全体で上面強化梁１２が「田」の字形状になっている。そして、上面強化梁１２に囲まれた四角形の４つの領域がそれぞれ荷受盤１３にて塞がれている。また、それら上面強化梁１２及び荷受盤１３は共にメッシュ構造（桟構造）をなし、そのメッシュ構造の網目は上下に貫通している。
【００１９】
桁部２１は、デッキボード１１のうち上面強化梁１２同士の交差位置に配置されている。即ち、桁部２１は、デッキボード１１の四隅と、デッキボード１１の各外縁部における各中央部と、デッキボード１１の平面形状における図心との計９箇所に配置されている。また、縦横の何れかの方向で隣合った桁部２１，２１の下端部の間には、下面強化梁１８が差し渡されて、下面強化梁１８も全体が上面強化梁１２と同様に「田」の字形状になっている。なお、下面強化梁１８に囲まれた四角形の４つの領域には、荷受盤１３に相当する構造体はなく、単なる空間になっている。
【００２０】
デッキボード１１の四隅に配置された桁部２１には、支柱としての所定長のアングル材９０がそれぞれ取り付け可能になっている。これら４本のアングル材９０は、例えば、合成樹脂製（例えば、塩化ビニール製）で構成されており、一般に普及している金属製のアングル材と同様に、互いに直交した１対の平板部を備えた構造になっている。そして、図１に示すように、パレット１０に取り付けられたアングル材９０の上に、図２に示すように、他のパレット１０を積み上げることができる。
【００２１】
なお、パレット１０は、合成樹脂を図示しない成形金型で射出成形して製造され、その成形金型は、パレット１０の上下方向に型開き可能な構造になっている。そして、以下説明する傾動規制突部３１（図５，７，８参照）の内面３１Ｎ及び突条２１Ｔ以外の全ての部位は、成形金型のうち型開き方向に突出又は陥没した凹凸のみによって成形され、傾動規制突部３１の内面３１Ｎ及び突条２１Ｔは、型開き方向と交差する方向に可動する所謂スライドコアによって成形されている。
【００２２】
図３〜図１１には、デッキボード１１の四隅に配置された桁部２１が拡大して示されている。以下、特記しない限り、「桁部２１」とはパレット１０の四隅の桁部２１を指すものとする。各桁部２１は、図５に示すように、外殻部分に断面略長方形の角筒外殻壁３０を有している。その角筒外殻壁３０は、パレット１０全体の角部側面を構成する１対の外側壁３０Ａ，３０Ｂと、フォーク挿入空間１４，１４（図１参照）の内面を構成する１対のフォークガイド側壁３０Ｃ，３０Ｄとで構成されている。
【００２３】
なお、４つの桁部２１は、それらの断面略長方形の長辺が互いに平行になるように配置されている（図２参照）。
【００２４】
角筒外殻壁３０の内部は、平板形分割壁３６によって断面形状の長手方向で第１と第２の領域Ｒ１，Ｒ２に２分割されている。平板形分割壁３６は、一方の外側壁３０Ａと平行に配置され、他方の外側壁３０Ｂに直交している。また、平板形分割壁３６は、桁部２１の上下方向全体に形成されている。そして、第１と第２の領域Ｒ１，Ｒ２のうち、１対の外側壁３０Ａ，３０Ｂ同士の角部から離れた側の第２領域Ｒ２は、平板形分割壁３６に沿った水平方向で例えば４つの部屋２５に区分されている。具体的には、互いに対向する平板形分割壁３６と一方のフォークガイド側壁３０Ｃとの間の上端部には、３つの上端区画壁３９Ａが平行に差し渡されている（図８参照）。また、図６に示すように、平板形分割壁３６とフォークガイド側壁３０Ｃとの下端部の間には、３つの下端区画壁３９Ｂが平行に差し渡されている（図７参照）。そして、これら上下３つずつの上端区画壁３９Ａ及び下端区画壁３９Ｂによって領域Ｒ２が区分されて４つの部屋２５が構成されている。また、これら部屋２５の並び方向で各部屋２５の上面又は下面が交互に天井壁４０Ａ又は下面壁４０Ｂによって閉塞されている。
【００２５】
なお、桁部２１の高さ方向の中間部では、複数の部屋２５全体が互いに連通している。また、天井壁４０Ａ及び下面壁４０Ｂ、さらには、以下説明する矩形天井壁４１、Ｌ形下端壁４２等には、全て水抜き孔が貫通形成されている。
【００２６】
図５に示すように、桁部２１の第１領域Ｒ１は、アングル内側支持壁３７によって本発明に係るアングル材挿入孔２３と補強部２１Ｈとに分割されている。そのアングル内側支持壁３７は、桁部２１の上下方向全体に形成され、１対の外側壁３０Ａ，３０Ｂと平行な１対の平板壁３７Ａ，３７Ｂと、それら平板壁３７Ａ，３７Ｂの間の角部に配置された面取り壁３７Ｃとから構成されている。
【００２７】
補強部２１Ｈは、アングル内側支持壁３７に対してデッキボード１１（図１参照）の中央側に配置されると共に、内部がさらに複数の部屋に区分されている。具体的には、桁部２１の上端部には、アングル内側支持壁３７よりデッキボード１１の中央側に、アングル内側支持壁３７の平板壁３７Ａ，３７Ｂと平行な１対の上端区画壁３８Ａ，３８Ａが設けられて互いに直交している。そして、上端区画壁３８Ａ，３８Ａと平板形分割壁３６とフォークガイド側壁３０Ｄとに囲まれた矩形部屋２６の上面が矩形天井壁４１によって閉塞されている。
【００２８】
桁部２１の下端部には、上記した１対の上端区画壁３８Ａ，３８Ａに対して若干ずれた位置に１対の下端区画壁３８Ｂ，３８Ｂが設けられて互いに直交している。そして、下端区画壁３８Ｂ，３８Ｂとアングル内側支持壁３７とフォークガイド側壁３０Ｄと平板形分割壁３６とに囲まれたＬ形の支柱隣接部屋２４の下面が、Ｌ形下端壁４２（図４参照）によって閉塞されている。また、支柱隣接部屋２４は、図５及び図７に示すように、アングル内側支持壁３７の面取り壁３７Ｃと上端区画壁３８Ａ，３８Ａの接合部分との間に差し渡された対角壁３５によって２分割されている。
【００２９】
さて、アングル材挿入孔２３は、図５に示すように、１対の外側壁３０Ａ，３０Ｂとアングル内側支持壁３７と平板形分割壁３６とフォークガイド側壁３０Ｄとに囲まれ、図３に示すように、デッキボード１１の上面角部に沿って開放したＬ字形状の上面開口２３Ｋを有している。また、図９に示すように、アングル材挿入孔２３の奥部（下端部）には、アングル材９０の下端面９０Ｄを突き当て可能な第１突き当て壁３２が形成されている。また、第１突き当て壁３２のうち外側壁３０Ａ，３０Ｂの角部を間に挟んだ両側２箇所には、それぞれ凹部３３，３３が陥没形成されている。また、それら凹部３３の下面が、本発明に係る第２突き当て壁３４にて閉塞されている。
【００３０】
アングル材挿入孔２３の内面には、１対の傾動規制突部３１，３１が突出形成されている。それら各傾動規制突部３１は、外側壁３０Ａ，３０Ｂをアングル材挿入孔２３内に膨出させた構造をなし、アングル材挿入孔２３のうち凹部３３より外側壁３０Ａ，３０Ｂ同士の角部から離れた位置に配置されている。また、各傾動規制突部３１は、桁部２１のうち上端寄り位置から第１突き当て壁３２に亘って上下方向に延びている。さらに、傾動規制突部３１は、上方に向かうに従って幅狭になっている（図８参照）。そして、傾動規制突部３１，３１は、アングル材挿入孔２３に挿入された支柱としてのアングル材９０における１対の外側面９０Ａ，９０Ａに突き合わされてアングル材９０の傾きを規制する役割を果たす。
【００３１】
傾動規制突部３１における膨出構造の内面３１Ｎ（図４参照）は、パレット１０の成形金型（図示せず）のうち型開き方向と交差する方向で進退するスライドコア（図示せず）によって成形される。また、傾動規制突部３１のうちアングル内側支持壁３７に対向した先端面には、その下端寄り位置にコア接合孔３１Ａが貫通形成されている。そして、パレット１０の成形金型のうちアングル材挿入孔２３内を成形する挿入孔成形コア（図示せず）と前記スライドコアとがコア接合孔３１Ａを介して互いに接合されるようになっている。さらに、図１０に示すように、傾動規制突部３１のうちアングル内側支持壁３７との対向面における上端部は、上方に向かうに従ってアングル内側支持壁３７から離れるように傾斜したガイド面３１Ｓになっている。
【００３２】
なお、図４に示すように、外側壁３０Ａ，３０Ｂとの間の角部は、丸みを帯びており、その角部外面における上端寄り位置には、１対の突条２１Ｔ，２１Ｔが横方向に延びた状態に形成されている。
【００３３】
本実施形態のパレット１０の構成に関する説明は以上である。次に、パレット１０の作用効果について説明する。本実施形態のパレット１０の四隅に形成されたアングル材挿入孔２３に、支柱としてのアングル材９０を挿入すると、傾動規制突部３１のガイド面３１Ｓ（図１０参照）によって案内され、図７に示すように、アングル材９０における１対の内側面９０Ｂ，９０Ｂがアングル内側支持壁３７に宛がわれた状態になる。また、この状態でアングル材９０における１対の外側面９０Ａ，９０Ａに傾動規制突部３１，３１が突き合わされ、アングル材９０の傾動が規制される。また、アングル材挿入孔２３の奥部では、図９に示すように、第１突き当て壁３２にアングル材９０の下端面９０Ｄが突き当てられる。これによりパレット１０に対して各アングル材９０が上下方向で位置決めされ、４本のアングル材９０の上面が面一になる。
【００３４】
ここで、例えば、パレットの桁部に端に断面Ｌ形のアングル材挿入孔を設けてそのアングル材挿入孔の内面でアングル材を挟んで傾動を規制する構成にした場合には、パレットの成形金型のうちアングル材挿入孔内を成形する挿入孔成形コアが薄肉になるため樹脂圧に耐えきれず、形状が不安定になり得る。
【００３５】
これに対し、本実施形態のパレット１０では、アングル材挿入孔２３の内面に１対の傾動規制突部３１，３１が設けて、それら１対の傾動規制突部３１，３１にてアングル材９０の傾きを規制しているので、アングル材挿入孔２３のうち１対の傾動規制突部３１，３１を設けた部位以外を広くして、挿入孔成形コアを肉厚にすることができる。これにより、アングル材挿入孔２３を有したパレット１０を安定した形状に成形することができる。しかも、各傾動規制突部３１は、外側壁３０Ａ，３０Ｂをアングル材挿入孔２３内に膨出させてなり、その膨出構造の内面を成形するスライドコアとアングル材挿入孔２３内を成形する挿入孔成形コアとが、傾動規制突部３１の先端のコア接合孔３１Ａを介して接合されるので、それらスライドコアと挿入孔成形コアとが互いに補強し合い、樹脂圧によって変形することを確実に防ぐことができる。
【００３６】
パレット１０の四隅にアングル材９０が取り付けられると、図２に示すようにアングル材９０の上に他のパレット１０を載置することができる。すると、図１１に示すように、各アングル材９０の上端面９０Ｃが上側のパレット１０における四隅の桁部２１の第２突き当て壁３４に突き当てられた状態になる。このとき、アングル材９０が多少パレット１０の中央側に傾動しても、アングル材９０の上端面９０Ｃを上側のパレット１０におけるＬ形下端壁４２で受けることができる。
【００３７】
また、下側のパレット１０におけるアングル材挿入孔２３の奥部には、各アングル材９０及び上側のパレット１０さらにはそのパレット１０に載置された荷物の荷重がかかる。しかしながら、アングル材挿入孔２３の奥部では、アングル材９０の下端面９０Ｄが突き当てられる第１突き当て壁３２と上記した第２突き当て壁３４とが上下にずらして配置され、それら第１と第２の突き当て壁３２，３４の間の段差壁３３Ｓによってそれら第１と第２の突き当て壁３２，３４が補強されているので、アングル材９０によってアングル材挿入孔２３が突き破られるような事態を防ぐことができる。
【００３８】
このように本実施形態のパレット１０によれば、支柱を所定長のアングル材９０のみで構成しておいて、それらアングル材９０をアングル材挿入孔２３に挿入するだけでパレット１０に支柱（即ち、アングル材９０）を取り付けることが可能になる。これにより、従来問題になったパレット１０から側方への支柱の突出部分をなくすことができる。また、アングル材挿入孔２３の上面開口２３Ｋは、デッキボード１１の上面角部に沿って開放したＬ字形状になっているので、アングル材９０の角部とデッキボード１１の角部とを一致させることができ、従来問題になった支柱によるデッドスペースを減らすことができる。また、本実施形態では、４本の支柱が、所定長のアングル材９０のみで構成されているので安価に製造することができると共に、不使用時にはアングル材９０の内側角部に他のアングル材９０の外側角部を重ねて束ねることで、例えば支柱としてのパイプ材を纏めた場合に比べてコンパクトに纏めることができる。さらに、本実施形態のアングル材９０は樹脂製であるから、金属製に比べて軽量であり、搬送が容易になる。
【００３９】
［第２実施形態］
本実施形態は、図１２に示されており、傾動規制突部３１Ｖを桁部２１Ｖの上端面から下端部に亘って形成した点のみが前記第１実施形態と異なる。本実施形態の構成によれば、傾動規制突部３１Ｖによる桁部２１Ｖの補強効果が増すと共に、アングル材９０をアングル材挿入孔２３にスムースに挿入することができる。なお、本実施形態のうち上記傾動規制突部３１Ｖ以外の構成は、第１実施形態と同様であるので、第１実施形態と同一の符号を付して重複説明は省略する。
【００４０】
［第３実施形態］
本実施形態のパレットの四隅に備えた桁部２１Ｗは、図１３及び図１４に示されており、主としてアングル内側支持壁３７Ｗの構造が第１実施形態と異なる。即ち、第１実施形態のアングル内側支持壁３７は、平板壁３７Ａ，３７Ｂの間を、それらに対して４５度の角度で傾斜した面取り壁３７Ｃにて連絡した構造になっていたが（図５参照）、本実施形態のアングル内側支持壁３７Ｗは、図１４に示すように、両平板壁３７Ａ，３７Ｂにおける互いに接近した側の端部をそれぞれ内側に直角曲げして互いに直交させた構造になっている。また、両平板壁３７Ａ，３７Ｂにおいて直角曲げされた曲げ端部３７Ｄ，３７Ｄ同士の交差部分は、対角壁３５に連絡されている。この結果、図１３に示すように、アングル材挿入孔２３Ｗにおける上面開口２３Ｌは、中央の角部が内側に膨らんだＬ字形状になっている。また、図１４に示すように、支柱隣接部屋２４Ｗ，２４の下端部を閉塞するＬ形下端壁４２Ｗは、中央の角部が外側から凹んだＬ字形状になっている。
【００４１】
また、アングル材挿入孔２３Ｗの内部には、外側壁３０Ａ，３０Ｂが交差してなる角部内面には、その角部を２等分するように対角リブ３１Ｔが内側に張り出している。そして、アングル材９０をアングル材挿入孔２３Ｗに挿入した際には、対角リブ３１Ｔがアングル材９０の角部に突き合わされるようになっている。なお、本実施形態の上記した部位以外の構成は、第１又は第２の実施形態と同様であるので、第１及び第２の実施形態と同一の符号を付して重複説明を省略する。
【００４２】
本実施形態の構成によれば、曲げ端部３７Ｄ，３７Ｄが平板壁３７Ａ，３７Ｂを補強し、対角壁３５が直角曲げ端部３７Ｄ，３７Ｄを補強するので、アングル材９０が内側に倒れる力を受ける部位の強度アップが図られる。さらに、対角リブ３１Ｔによって外側壁３０Ａ，３０Ｂの強度アップを図ることができる。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）前記実施形態では、支柱が所定長のアングル材９０のみで構成されていたが、例えば、図１５に示した支柱９５のように、アングル材９０の上端面にあて板９１を接合した構造にしてもよい。また、同図に示すように、１対の支柱９５，９５の上端部同士を梁９２で連絡した構成にしてもよい。
【００４５】
（２）前記実施形態のアングル材９０は、樹脂製であったが、金属製であってもよい。
【００４６】
（３）前記実施形態の傾動規制突部３１は、外側壁３０Ａ，３０Ｂの一部をアングル材挿入孔２３内に膨出させた構造になっていたが、傾動規制突部はアングル材挿入孔の内面から突出したリブ構造にしてもよい。また、傾動規制突部はアングル材挿入孔の内面のうちアングル材の内側面との対向面に配置してもよい。
【図面の簡単な説明】
【００４７】
【図１】本発明の実施形態に係るパレットの斜視図
【図２】パレットに取り付けた支柱の上にパレットを積み上げた状態の斜視図
【図３】パレットにおける四隅の桁部の上方側斜視図
【図４】その桁部の下方側斜視図
【図５】その桁部の平面図
【図６】その桁部の下面図
【図７】その桁部の破断斜視図
【図８】その桁部の破断斜視図
【図９】その桁部の破断斜視図
【図１０】その桁部の破断斜視図
【図１１】桁部に下方から支柱を突き当てた状態の斜視図
【図１２】第２実施形態のパレットの一部の斜視図
【図１３】第２実施形態のパレットにおける四隅の桁部の上方側斜視図
【図１４】その桁部の平面図
【図１５】変形例２のパレットの斜視図
【符号の説明】
【００４８】
１０    樹脂製パレット
１１    デッキボード
１４    フォーク挿入空間
２１    桁部
２３    アングル材挿入孔
２３Ｋ    上面開口
２４    支柱隣接部屋
３０Ａ，３０Ｂ    外側壁
３１，３１Ｖ    傾動規制突部
３１Ａ    コア接合孔
３１Ｎ    内面
３１Ｓ    ガイド面
３２    第１突き当て壁
３３    凹部
３３Ｓ  段差壁
３４    第２突き当て壁
４２    Ｌ形下端壁
９０    アングル材
９０Ａ    外側面
９０Ｂ    内側面
９５    支柱
【図１】
0005024950.tif 000002
【図２】
0005024950.tif 000003
【図３】
0005024950.tif 000004
【図４】
0005024950.tif 000005
【図５】
0005024950.tif 000006
【図６】
0005024950.tif 000007
【図７】
0005024950.tif 000008
【図８】
0005024950.tif 000009
【図９】
0005024950.tif 000010
【図１０】
0005024950.tif 000011
【図１１】
0005024950.tif 000012
【図１２】
0005024950.tif 000013
【図１３】
0005024950.tif 000014
【図１４】
0005024950.tif 000015
【図１５】
0005024950.tif 000016